【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
電気光学装置のソース線を駆動するためのソースドライバであって、
階調データに対応して、第１及び第２の階調電圧の各階調電圧を出力する階調電圧生成回路と、
前記第１及び第２の階調電圧に基づいて前記ソース線を駆動するソース線駆動回路とを含み、
前記ソース線駆動回路が、
前記第１の階調電圧と前記第２の階調電圧との間の出力階調電圧を前記ソース線に出力するフリップアラウンド型サンプルホールド回路を含むことを特徴とするソースドライバ。
【請求項２】
請求項１において、
前記フリップアラウンド型サンプルホールド回路が、
演算増幅回路と、
前記演算増幅回路の入力にその一端が接続された複数の容量素子とを含み、
サンプリング期間において、前記演算増幅回路の出力と前記ソース線とを電気的に遮断した状態で、前記演算増幅回路の入力及び出力を電気的に接続して、前記複数の容量素子の各容量素子に前記第１又は第２の階調電圧に対応した電荷を蓄積し、
前記サンプリング期間後のホールド期間において、前記演算増幅回路の入力及び出力を電気的に遮断して、前記複数の容量素子に蓄積された電荷を前記演算増幅回路の出力に供給することで得られる前記演算増幅回路の出力電圧を前記ソース線に出力することを特徴とするソースドライバ。
【請求項３】
請求項２において、
一端に所与の電圧が供給され、他端に前記演算増幅回路の反転入力端子が接続される補助容量素子を含むことを特徴とするソースドライバ。
【請求項４】
請求項３において、
前記補助容量素子が、
容量素子形成領域内に形成されるダミー用の容量素子と兼用されることを特徴とするソースドライバ。
【請求項５】
請求項３又は４において、
前記電気光学装置の各ソース線を駆動する各ソースドライバブロックが、前記階調電圧生成回路及び前記ソース線駆動回路を含む複数のソースドライバブロックを含み、
各ソースドライバブロックが、
前記複数のソースドライバブロックの配列方向と交差する方向に、前記第１〜第ｊの容量素子及び前記補助容量素子が形成される容量素子形成領域を有し、
前記補助容量素子が、
前記容量素子形成領域の境界のうち、前記配列方向と交差する方向で対向する境界に沿って形成されていることを特徴とするソースドライバ。
【請求項６】
請求項２乃至５のいずれかにおいて、
前記演算増幅回路は、
前記サンプリング期間にＡ級増幅動作を行い、前記ホールド期間にＡＢ級増幅動作を行うことを特徴とするソースドライバ。
【請求項７】
請求項２乃至６のいずれかにおいて、
前記演算増幅回路は、
前記演算増幅回路の入力と該演算増幅回路の出力との差分値を増幅する演算増幅器と、
第１の電源側に設けられ前記演算増幅器の出力ノードの電圧に基づいてそのゲート電極が制御される第１導電型の第１の駆動トランジスタと、
前記第１の駆動トランジスタと直列に第２の電源側に設けられる第２導電型の第２の駆動トランジスタと、
前記第１の駆動トランジスタのゲート電極と前記第２の駆動トランジスタのゲート電極とを容量結合するためのキャパシタと、
前記サンプリング期間において前記第２の駆動トランジスタのゲート電極に電荷を供給し、前記ホールド期間において前記第２の駆動トランジスタのゲート電極への電荷の供給を停止する電荷供給回路とを含むことを特徴とするソースドライバ。
【請求項８】
請求項７において、
前記電荷供給回路が、
電流発生回路と、
前記電流発生回路と前記キャパシタの一端及び前記第２の駆動トランジスタのゲート電極との間に挿入されたスイッチ回路と含み、
前記スイッチ回路が、
前記サンプリング期間にオン、前記ホールド期間にオフとなるようにスイッチ制御されることを特徴とするソースドライバ。
【請求項９】
請求項８において、
前記電流発生回路が、
そのドレインに電流が供給されダイオード接続された電流源トランジスタを含み、
前記スイッチ回路が、
前記電流源トランジスタのゲート電極と、前記キャパシタの一端及び前記第２の駆動トランジスタのゲート電極との間に挿入されることを特徴とするソースドライバ。
【請求項１０】
請求項１において、
前記フリップアラウンド型サンプルホールド回路が、
非反転入力端子に所与の電圧が供給される演算増幅回路と、
前記演算増幅回路の反転入力端子と前記演算増幅回路の出力との間に挿入された帰還スイッチと、
一端が前記反転入力端子に接続される第１〜第ｊ（ｊは２以上の整数）の容量素子と、
第ｐ（１≦ｐ≦ｊ、ｐは整数）のフリップアラウンド用スイッチが前記第ｐの容量素子の他端と前記演算増幅回路の出力との間に挿入された第１〜第ｊのフリップアラウンド用スイッチと、
第ｐの入力スイッチの一端が第ｐの容量素子の他端に接続される第１〜第ｊの入力スイッチと、
前記演算増幅回路の出力と前記ソース線との間に挿入された出力スイッチとを含み、
前記第１〜第ｊの入力スイッチの各入力スイッチの他端には、前記第１又は第２の階調電圧が供給され、
サンプリング期間に、前記第１〜第ｊのフリップアラウンド用スイッチをオフ、前記帰還スイッチをオン、前記出力スイッチをオフした状態で、前記第１〜第ｊの容量素子の他端に前記第１及び第２の階調電圧のいずれかを供給し、
前記サンプリング期間後のホールド期間に、前記第１〜第ｊのフリップアラウンド用スイッチをオン、前記帰還スイッチをオフ、前記出力スイッチをオンすることで得られる前記第１の階調電圧と前記第２の階調電圧との間の出力階調電圧を、前記ソース線に出力することを特徴とするソースドライバ。
【請求項１１】
請求項１０において、
前記出力階調電圧が、前記ソース線に出力される電圧の最低電位電圧より該ソース線に出力される電圧の最高電位電圧に近いときには、前記階調電圧生成回路が、前記第１及び第２の階調電圧を電位の高い順に出力し、
前記出力階調電圧が、前記最高電位電圧より前記最低電位電圧に近いときには、前記階調電圧生成回路が、前記第１及び第２の階調電圧を電位の低い順に出力することを特徴とするソースドライバ。
【請求項１２】
請求項１１において、
前記出力階調電圧が前記最低電位電圧より前記最高電位電圧に近いときには、前記第１及び第２の階調電圧のうち、高電位側の階調電圧が前記第１〜第ｊの容量素子のいずれかの容量素子に供給された状態で、低電位側の階調電圧が前記第１〜第ｊの容量素子のいずれかの容量素子に供給されるように、前記第１〜第ｊの入力スイッチのスイッチ制御を行うことを特徴とするソースドライバ。
【請求項１３】
請求項１１において、
前記出力階調電圧が前記最高電位電圧より前記最低電位電圧に近いときには、前記第１及び第２の階調電圧のうち、低電位側の階調電圧が前記第１〜第ｊの容量素子のいずれかの容量素子に供給された状態で、高電位側の階調電圧が前記第１〜第ｊの容量素子のいずれかの容量素子に供給されるように、前記第１〜第ｊの入力スイッチのスイッチ制御を行うことを特徴とするソースドライバ。
【請求項１４】
請求項１０乃至１３のいずれかにおいて、
前記第１〜第ｊの容量素子の各容量素子の容量値が等しいことを特徴とするソースドライバ。
【請求項１５】
複数の走査線と、
複数のソース線と、
各画素が前記複数の走査線の各走査線及び前記複数のソース線の各ソース線により特定される複数の画素と、
前記複数のソース線を駆動するための請求項１乃至１４のいずれか記載のソースドライバとを含むことを特徴とする電気光学装置。
【請求項１６】
請求項１乃至１４のいずれか記載のソースドライバを含むことを特徴とする電子機器。
【請求項１７】
請求項１５記載の電気光学装置を含むことを特徴とする電子機器。